(57)【要約】【課題】簡単な構成で、部品紛失の心配なく容易な組み立て及び収納の作業が可能でありながら、使用時には良好な演奏操作性を確保すると共に、収納や運搬時には演奏操作部を保護しつつコンパクトにする。【解決手段】本体１０の左右両端部１０Ｌ、１０Ｒにはそれぞれ、蝶番機構部１３Ａ〜１３Ｄを介して蓋兼脚部２０Ｌ／Ｒが連結され、本体１０の正面からみて時計及び反時計方向に回動する。蓋兼脚部２０Ｌ／Ｒの両自由端部２０Ｌａ、２０Ｒａが設置面Ｇに対向したとき、本体１０を支持する脚体として機能し、演奏が可能となる。鍵盤部１１の上方であって本体１０の長手方向における略中央部で蓋兼脚部２０Ｌ／Ｒの両自由端部２０Ｌａ、２０Ｒａ同士が近接対向したとき、蓋兼脚部２０Ｌ／Ｒは本体１０を覆う蓋体として機能し、収納、運搬に適した状態となる。【選択図】　　図１
2004093812.tif 000002
【特許請求の範囲】
【請求項１】
演奏操作部を有する楽器本体と、
前記楽器本体の外縁部近傍に蝶番機構部を介して回動可能に連結された複数の回動部材とを有し、
前記複数の回動部材は、前記蝶番機構部を中心に回動し、前記複数の回動部材の自由端部が設置面に対向したとき前記楽器本体を支持する脚体として機能すると共に、前記複数の回動部材の自由端部同士が前記楽器本体の上方で近接対向したとき前記楽器本体を覆う蓋体として機能するように構成されたことを特徴とする楽器。
【請求項２】
前記複数の回動部材は２体から成り、これら２つの回動部材はそれぞれ、前記楽器本体の左右両側縁部近傍に前記蝶番機構部を介して連結され、前記楽器本体の長手方向全長の略半分の長さを有して塵取り型に構成されたことを特徴とする請求項１記載の楽器。
【発明の詳細な説明】
【０００１】
【発明の属する技術の分野】
本発明は、演奏操作部を有し楽器本体が脚部で支持される楽器に関する。
【０００２】
【従来の技術】
従来、鍵盤等の演奏操作部を有する楽器において、楽器本体を支持する脚部を収納あるいは折り畳み可能に構成し、コンパクトにして持ち運び等の便宜を図るようにした楽器が知られている。
【０００３】
例えば、第１の従来の楽器（実公昭５７−５１４１６、５１４１７、５１４１８号公報）では、一対の蓋体を楽器本体に対して着脱自在に構成し、携帯時や収納時には蓋体として機能すると共に、据置時には蓋体を取り外して本体底部に補助具を介してネジ体で固着することで脚体として用いるようにしている。
【０００４】
また、第２の従来の楽器（実開平６−１６９９０号公報）では、楽器本体の左右両端部に脚部材を折り畳み自在に取り付けると共に、脚部材を折り畳んだとき、楽器本体底部に設けた箱状の収納部に脚部材が収納されるようにしている。
【０００５】
【発明が解決しようとする課題】
しかしながら、上記第１の従来の楽器では、収納や使用の際、蓋体を取り外し、補助具を適切に配設してネジ体で固着し、及びその逆の作業を行わなければならないため、組み立て及び収納の作業が煩雑である。さらに、蓋体、補助具、ネジ体等が本体と分離しているため、これらの部品を紛失するおそれがある。
【０００６】
また、上記第２の従来の楽器では、脚部材は蓋体を兼ねないので、演奏操作部が保護されず、その一方、蓋体を別途設けると構成が複雑となり、コンパクト化が困難になる。
【０００７】
本発明は上記従来技術の問題を解決するためになされたものであり、その目的は、簡単な構成で、部品紛失の心配なく容易な組み立て及び収納の作業が可能でありながら、使用時には良好な演奏操作性を確保すると共に、収納や運搬時には演奏操作部を保護しつつコンパクトにすることができる楽器を提供することにある。
【０００８】
【課題を解決するための手段】
上記目的を達成するために本発明の請求項１の楽器は、演奏操作部を有する楽器本体と、前記楽器本体の外縁部近傍に蝶番機構部を介して回動可能に連結された複数の回動部材とを有し、前記複数の回動部材は、前記蝶番機構部を中心に回動し、前記複数の回動部材の自由端部が設置面に対向したとき前記楽器本体を支持する脚体として機能すると共に、前記複数の回動部材の自由端部同士が前記楽器本体の上方で近接対向したとき前記楽器本体を覆う蓋体として機能するように構成されたことを特徴とする。
【０００９】
この構成によれば、複数の回動部材が、回動して自由端部が設置面に対向したとき楽器本体を支持する脚体として機能するので、楽器本体を適当な高さに保持でき、良好な演奏操作性が確保される。また、自由端部同士が前記楽器本体の上方で近接対向したとき楽器本体を覆う蓋体として機能するので、演奏操作部を保護しつつコンパクトにして収納や運搬ができる。さらに、複数の回動部材が蓋体と脚体を兼ねるので、部品点数削減により構成が簡単である。しかも、複数の回動部材は蝶番機構部を介して楽器本体の外縁部近傍に回動可能に連結されるので、回動操作だけで組み立て及び収納の作業が行えるように構成可能で、部品紛失の心配もない。よって、簡単な構成で、部品紛失の心配なく容易な組み立て及び収納の作業が可能でありながら、使用時には良好な演奏操作性を確保すると共に、収納や運搬時には演奏操作部を保護しつつコンパクトにすることができる。
【００１０】
【発明の実施の形態】
以下、本発明の実施の形態を図面を参照して説明する。
【００１１】
図１は、本発明の一実施の形態に係る楽器の使用時の状態を斜め前方からみた外観図である。図２は、同楽器の非使用時の状態を斜め後方からみた外観図である。
【００１２】
本楽器は、例えば、鍵盤楽器として構成され、収納や運搬がされるような非使用時には、後述する蓋兼脚部２０Ｌ／Ｒを楽器本体１０上に被せて（閉扉状態として）蓋体として用いると共に、演奏がされるような使用時には、蓋兼脚部２０Ｌ／Ｒを本体１０の下方に垂設して脚体として用いる。演奏は、不図示の椅子に座ってなされる。
【００１３】
本体１０には、鍵盤部１１の他、不図示の操作子群等が備えられる。本体１０の左右両端部１０Ｌ、１０Ｒの下部にはそれぞれ、蝶番機構部１３Ａ〜１３Ｄを介して蓋兼脚部２０Ｌ、２０Ｒが連結され、蓋兼脚部２０Ｌ／Ｒは、本体１０の正面からみて時計方向及び反時計方向に回動自在になっている。蓋兼脚部２０Ｌ、２１Ｒは塵取り型に形成される。ここで塵取り型とは、底板、両側壁、両側壁を連結する連結壁で構成される周知の型である。蓋兼脚部２０Ｌ、２１Ｒは、上記底板に相当する平板部２０Ｌ１、２０Ｒ１、上記両側壁に相当する前板部２０Ｌ２、２０Ｒ２及び背板部２０Ｌ３、２０Ｒ３、さらに上記連結壁に相当する側板部２０Ｌ４、２０Ｒ４で構成される。各蓋兼脚部２０Ｌ／Ｒの長さ（使用時における高さ）は、本体１０の長手方向における全長の約半分程度に設定されている。
【００１４】
蓋兼脚部２０Ｌ、２１Ｒの自由端部２０Ｌａ、２０Ｒａには硬質ゴム等の緩衝材２１Ｌ、２１Ｒが固着されている。前板部２０Ｌ２、２０Ｒ２及び背板部２０Ｌ３、２０Ｒ３には、係止具２２Ａ〜２２Ｄが取り付けられている。また、背板部２０Ｌ３、２０Ｒ３には、後述する横転防止棒１４を係止するための係止穴２０Ｌ３ｂ、２０Ｒ３ｂが設けられている。背板部２０Ｌ３、２０Ｒ３にはさらに、非使用時において収納される横転防止棒１４との干渉を防止するための逃げ部２０Ｌ３ａ、２０Ｒ３ａが形成されている（逃げ部２０Ｌ３ａは図示せず）。
【００１５】
図３は、図２のＡ−Ａ線に沿う断面図である。なお、図１のＡ’−Ａ’線は、図２のＡ−Ａ線に対応している。本体１０の前部に形成される口棒部１０Ａには、正面（奏者側）からみて弓状で前板部２０Ｌ２、２０Ｒ２に嵌合的な形状をした蓋体受け部１０Ａ１が口棒部１０Ａと一体に形成される（図１参照）。また、本体１０の背部１０Ｂには、蓋体受け部１０Ａ１と同形状で背板部２０Ｌ３、２０Ｒ３に嵌合的な形状をした蓋体受け部１０Ｂ１が背部１０Ｂと一体に形成される（図２参照）。
【００１６】
蓋体受け部１０Ａ１には、係止具２２Ａ、２２Ｃと係合する係止部１２Ａ、１２Ｃが設けられ（図１参照）、蓋体受け部１０Ｂ１には、係止具２２Ａ、２２Ｃと同様に係止具２２Ｂ、２２Ｄと係合する係止部１２Ｂ、１２Ｄが設けられる（係止部１２Ｂ、１２Ｄは図示せず）。背部１０Ｂにはさらに、非使用時に横転防止棒１４を嵌合保持しておくための保持溝部１０Ｂ３が形成されている。保持溝部１０Ｂ３は、図３に想像線で示すように、係止具２２Ｂ、２２Ｄと干渉しないような位置に設けられ、係止部１２Ｂ、１２Ｄとも干渉しない。
【００１７】
図１に示すように、本体１０の左右両端部１０Ｌ、１０Ｒの上部前部１０Ｌａ、１０Ｒａは、Ｒ形状に形成される。また、図３に示すように、背部１０Ｂの上部後部１０Ｂ２も同様にＲ形状に形成される。さらに、口棒部１０Ａの上部前部１０Ａ３もＲ形状に形成される。上記上部前部１０Ｌａ、１０Ｒａ及び上記上部後部１０Ｂ２は、蓋兼脚部２０Ｌ／Ｒを蓋体として機能させるべく閉じるとき、蓋兼脚部２０Ｌ／Ｒをガイドして前後方向における位置を適切に規制し、口棒部１０Ａの上部前部１０Ａ３もその補助的な役割を果たす。
【００１８】
図４は、蝶番機構部１３Ａ近傍を正面からみた部分拡大図である。同図（ａ）は使用時、すなわち蓋兼脚部２０Ｒを垂設した状態を示し、同図（ｂ）は蓋兼脚部２０Ｒが垂設状態と閉扉状態との間の回動途中にある状態を示す。
【００１９】
蝶番機構部１３Ａは、回動軸部１３Ａ１を中心に板部１３Ａ２、１３Ａ３が回動自在に取り付けられて成る。板部１３Ａ２は蓋兼脚部２０Ｒの側板部２０Ｒ４に固着され、板部１３Ａ３は本体１０の下面１０ａに固着される。なお、他の蝶番機構部１３Ｂ〜１３Ｄについても同様に構成される。
【００２０】
本体１０の下面１０ａには、小脚部１５、１６（小脚部１６は図１、図３を参照）が固着されている。小脚部１５は、脚部１５ａ及び脚部１５ａより薄いスペーサ部１５ｂが一体に形成されて成る。小脚部１５は、蝶番機構部１３Ａ、１３Ｂ間に亘る長さに形成されるが、２体に分けて構成し、蝶番機構部１３Ａの後方及び蝶番機構部１３Ｂの前方に分離して配設してもよい。
【００２１】
スペーサ部１５ｂは、蝶番機構部１３Ａの板部１３Ａ２と板部１３Ａ３を合わせた厚みよりもやや厚く形成されており、図４（ａ）に示すように、蓋兼脚部２０Ｒの垂設状態において側板部２０Ｒ４と当接して、板部１３Ａ２、１３Ａ３に本体１０の荷重が直接かかることを防止する。脚部１５ａは、蓋兼脚部２０Ｒの閉扉状態や組み立て途中の状態において設置面Ｇと接して、同図（ｂ）に示すように、本体１０が設置面Ｇに直接接することを防止する。小脚部１６も小脚部１５と左右対称に同様に構成される。
【００２２】
かかる構成において、図２に示す非使用時から、使用できるように組み立てるには、まず、係止具２２Ａ〜２２Ｄを係止部１２Ａ〜１２Ｄから外して、蓋兼脚部２０Ｌ／Ｒをそれぞれ蝶番機構部１３Ａ〜１３Ｄを中心に開扉方向に回動させ、図１に示すように、両自由端部２０Ｌａ、２０Ｒａを設置面Ｇに対向させる。このとき、蓋兼脚部２０Ｌ、２０Ｒは、小脚部１５、１６のスペーサ部１５ｂ、１６ｂ（１６ｂについては符号を付していない）を介して本体１０を支持する脚体として機能する。そして、背部１０Ｂの保持溝部１０Ｂ３から横転防止棒１４を取り外し、これを蓋兼脚部２０Ｌ、２０Ｒの各係止穴２０Ｌ３ｂ、２０Ｒ３ｂに係止することで、本体１０の主に左右方向に対する補強を図り、安定性を向上させると共に横転を防止する。使用者は通常、この状態で椅子に座って演奏する。
【００２３】
一方、収納するにはこれとは逆の工程を行う。まず、横転防止棒１４を係止穴２０Ｌ３ｂ、２０Ｒ３ｂから抜いて保持溝部１０Ｂ３に嵌合保持させる。そして、蓋兼脚部２０Ｌ、２０Ｒを閉扉方向に回動させる。その際、それぞれＲ形状に形成された本体１０の左右両端部１０Ｌ、１０Ｒの上部前部１０Ｌａ、１０Ｒａ、背部１０Ｂの上部後部１０Ｂ２、さらには口棒部１０Ａの上部前部１０Ａ３によって、前後方向における蓋兼脚部２０Ｌ／Ｒの軌道が規制され、閉扉方向への円滑な回動が確保される。そして、蓋兼脚部２０Ｌ／Ｒが蓋体受け部１０Ａ１、１０Ｂ１と当接すると、図２に示すように、鍵盤部１１の上方であって本体１０の長手方向における略中央部で蓋兼脚部２０Ｌ、２０Ｒの両自由端部２０Ｌａ、２０Ｒａ同士が近接対向する。このとき、蓋兼脚部２０Ｌ／Ｒは本体１０を覆う蓋体として機能する。なお、蓋兼脚部２０Ｌ／Ｒは、背板部２０Ｌ３、２０Ｒ３に設けられた逃げ部２０Ｌ３ａ、２０Ｒ３ａにより、横転防止棒１４と干渉することがない。最後に、係止具２２Ａ〜２２Ｄを係止部１２Ａ〜１２Ｄに係止することで、収納、運搬に適した状態となる。
【００２４】
本実施の形態によれば、蓋兼脚部２０Ｌ／Ｒは、２体構成で、それぞれ本体１０の長手方向における全長の約半分の長さを有するので、垂設状態で脚体として機能するとき、本体１０の高さが適切に確保され、椅子に座って演奏するのにちょうどよい高さとなる。しかも、蓋兼脚部２０Ｌ／Ｒは本体１０の左右両端部１０Ｌ、１０Ｒに連結されるので、本体１０が安定保持される。従って、良好な演奏操作性を確保することができる。また、蓋兼脚部２０Ｌ／Ｒが蓋体として機能するとき、鍵盤部１１を保護しつつコンパクトにして収納や運搬が容易となる。特に、蓋兼脚部２０Ｌ／Ｒが塵取り型に構成されるので、本体１０が広く適切に覆われ、鍵盤部１１の保護性が優れる。さらに、蓋兼脚部２０Ｌ／Ｒが蓋体と脚体を兼ねるので、部品点数削減により構成が簡単である。よって、簡単な構成で、組み立て及び収納の作業が容易でありながら、使用時には良好な演奏操作性を確保すると共に、収納や運搬時には演奏操作部を保護しつつコンパクトにすることができる。
【００２５】
なお、本実施の形態では、組み立て後の本体１０の安定性確保や横転防止を確実にするために好ましい構成として横転防止棒１４を設けたが、これに限ることなく、例えば、蓋兼脚部２０Ｌ／Ｒを垂設状態としたとき、小脚部１５、１６と蓋兼脚部２０Ｌ／Ｒ、または本体１０と蓋兼脚部２０Ｌ／Ｒとを自動的にロックするロック機構を設けるようにしてもよい。このようにすれば、横転防止棒１４が不要となり、蓋兼脚部２０Ｌ／Ｒの回動操作だけで組み立て及び収納の作業が行え、分離した付属品等を要しないため、部品紛失の心配もなくなる。
【００２６】
なお、本実施の形態では、鍵盤楽器を例示したが、これに限るものでなく、例えば、スチールギター、琴、木琴、鉄琴等、据置で演奏される各種楽器に本発明を適用可能である。
【００２７】
なお、本実施の形態では、蓋兼脚部２０Ｌ／Ｒは、本体１０の左右両端部１０Ｌ、１０Ｒに回動自在に連結され、左右方向に開閉するように構成されたが、本体１０の外縁部近傍に蝶番機構部を介して連結される構成であればよい。例えば、本体１０の口棒部１０Ａ及び背部１０Ｂに回動自在に連結し、蓋兼脚部が前後方向に開閉するように構成してもよい。この場合は、使用時における本体１０の高さが低いものとなるが、例えば、大正琴のように、正座して演奏する楽器には適している。
【００２８】
なお、蓋兼脚部２０Ｌ／Ｒは、２体から成るものとしたが、これに限るものでなく、本体１０の外縁部近傍に蝶番機構部を介して連結された蓋兼脚部であれば、数は問わない。例えば、蓋兼脚部２０Ｌ、２０Ｒそれぞれについて、前後２つに分割された構成として、合計４個の蓋兼脚部としてもよい。
【００２９】
なお、本楽器の運搬を容易にするため、取っ手を設けるのが望ましい。取っ手は、例えば、背部１０Ｂの蓋体受け部１０Ｂ１において、保持溝部１０Ｂ３と干渉しないような位置に取り付けてもよい。
【００３０】
なお、蝶番機構部１３Ａの板部１３Ａ２を蓋兼脚部２０Ｒと一体に形成するとか、または蝶番機構部１３Ａの板部１３Ａ３を本体１０と一体に形成してもよい。他の蝶番機構部１３についても同様である。
【００３１】
【発明の効果】
以上説明したように、本発明によれば、簡単な構成で、部品紛失の心配なく容易な組み立て及び収納の作業が可能でありながら、使用時には良好な演奏操作性を確保すると共に、収納や運搬時には演奏操作部を保護しつつコンパクトにすることができる。
【図面の簡単な説明】
【図１】本発明の一実施の形態に係る楽器の使用時の状態を斜め前方からみた外観図である。
【図２】同楽器の非使用時の状態を斜め後方からみた外観図である。
【図３】図２のＡ−Ａ線に沿う断面図である。
【図４】蝶番機構部近傍を正面からみた部分拡大図である。
【符号の説明】
１０　本体（楽器本体）、　１０Ａ１、１０Ｂ１　蓋体受け部、　１０Ｌ、１０Ｒ　左右両端部（外縁部、側縁部）、　１１　鍵盤部（演奏操作部）、　１３Ａ〜１３Ｄ　蝶番機構部、　２０Ｌ、２０Ｒ　蓋兼脚部（回動部材）、　２０Ｌａ、２０Ｒａ　自由端部、　Ｇ　設置面
【図１】
2004093812.tif 000003
【図２】
2004093812.tif 000004
【図３】
2004093812.tif 000005
【図４】
2004093812.tif 000006